(57)【要約】【課題】医療機器の保守管理に際し、保守管理に関する情報を現場で確認できる手法を提供すること。【解決手段】医療機器保守管理システムは、（ａ）ＲＦＩＤであるＩＣタグと、（ｂ）ＲＦＩＤリ−ダライタを搭載したＰＤＡ（携帯情報端末）と、（ｃ）前回定期点検実施日と次回定期点検予定日をＩＣタグに書込む手段と、（ｄ）医療機器の使用前及び使用中の点検を行うためのチェックリストを上記ＰＤＡに表示するとともに、チェックの結果をＩＣタグに書込む手段と、を備えている。よって、医療機器保守管理部門で行われる定期点検等の情報がＩＣタグを介して病室等に適確に伝わる。さらにこのＩＣタグを介して、定期点検の実施状況を使用現場で認識できる。また、医療機器管理部門では、医療機器を貸し出した使用現場において、どの程度使用されたか知ることができ、医療機器の効率的な管理を行うことが可能である。【選択図】図１
2008287627.tif 000002
【特許請求の範囲】
【請求項１】
医療機器に取り付けるためのＲＦＩＤであるＩＣタグと、前記ＩＣタグに対して保守管理データを読み出し・書き込むためのＲＦＩＤリ−ダライタを搭載した端末装置と、
を備え、前記端末装置は、
前記保守管理データである、保守・点検予定日、及び／又は、保守・点検実施日、を前記ＲＦＩＤリ−ダライタを用いて前記ＩＣタグに書き込む書き込み手段と、
を備えることを特徴とする医療機器保守管理システム。
【請求項２】
請求項１記載の医療機器保守管理システムにおいて、
前記端末装置は、
前記医療機器の保守・点検を行うためのチェックリストを記憶するチェックリスト記憶手段と、
前記チェックリストを使用者に対して表示する表示手段と、
前記表示手段が表示したチェックリストに対して、前記使用者がチェックした結果を、前記ＲＦＩＤリ−ダライタを用いて前記ＩＣタグに書き込む書き込み手段と、
を備えることを特徴とする医療機器保守管理システム。
【請求項３】
請求項２記載の医療機器保守管理システムにおいて、
前記チェックリスト記憶手段は、前記医療機器の、使用前、使用中、使用後、のいずれか１種又は２種以上の保守点検チェックリストを記憶し、
前記表示手段は、前記医療機器の、使用前、使用中、使用後、のいずれか１種又は２種以上の保守点検チェックリストを、前記使用者に対して表示することを特徴とする医療機器保守管理システム。
【請求項４】
請求項２記載の医療機器保守管理システムにおいて、
前記チェックリスト記憶手段は、前記医療機器の、使用前の保守点検チェックリストを記憶し、
前記表示手段は、前記医療機器の、使用前の保守点検チェックリストを、前記使用者に対して表示し、
前記表示手段が表示したチェックリストに対して、前記使用者がチェックした結果を、前記ＲＦＩＤリ−ダライタを用いて前記ＩＣタグに書き込む書き込み手段と、
前記表示手段が表示したチェックリストに対して、前記使用者がチェックした場合、前回の使用後点検が完了しているか否かを検査し、完了していない場合は、所定の警告を前記使用者に対して出力する警告手段と、
を備えることを特徴とする医療機器保守管理システム。
【請求項５】
請求項１記載の医療機器保守管理システムにおいて、
前記端末装置は、
医療機器の保守・点検を行うためのチェックリスト群を記憶するチェックリスト記憶手段と、
前記チェックリスト記憶手段から、保守管理の対象である前記医療機器に関するチェックリストを選択して取り出し、取り出したチェックリストを使用者に対して表示する表示手段と、
前記表示手段が表示したチェックリストに対して、前記使用者がチェックした結果を、前記ＲＦＩＤリ−ダライタを用いて前記ＩＣタグに書き込む書き込み手段と、
を備えることを特徴とする医療機器保守管理システム。
【請求項６】
請求項１記載の医療機器保守管理システムにおいて、
前記端末装置は、
使用者から、前記医療機器の使用予定期間を入力する入力手段と、
前記入力された使用予定期間の末日である予定使用終了日が、次回保守点検日の後である場合、及び／又は、前記予定使用終了日が、次回保守点検日から所定期間内に近接している場合、に警告を出力する警告手段と、
を備えることを特徴とする医療機器保守管理システム。
【請求項７】
請求項５記載の医療機器保守管理システムにおいて、
前記端末装置は、
前記医療機器の、使用前、及び／又は、使用中、の保守点検を実施した日付を記憶する保守点検履歴記憶手段と、
前記保守点検履歴記憶手段に記憶された保守点検を実施した日付を、前記ＲＦＩＤリ−ダライタを用いて前記ＩＣタグに書き込む書き込み手段と、
を備え、
前記書き込み手段は、前記保守点検を実施した日付から、前記医療機器の稼働時間を求め、この稼働時間からその医療機器の稼働時間を求め、この稼働時間及び／又は累積稼働時間を、前記ＲＦＩＤリ−ダライタを用いて前記ＩＣタグに書き込むことを特徴とする医療機器保守管理システム。
【請求項８】
請求項７記載の医療機器保守管理システムにおいて、
前記端末装置は、
前記累積稼働時間に基づき、保険償還価格を計算する計算手段と、
前記計算した保険償還価格を表示する表示手段と、
を備えることを特徴とする医療機器保守管理システム。
【請求項９】
請求項１〜８のいずれか１項に記載の医療機器保守管理システムにおいて、
上記ＩＣタグは、周波数１２５〜１３５ｋＨｚの長波帯を使用することによって、金属・水等によって通信が影響を受けないことを特徴とする医療機器保守管理システム。
【請求項１０】
請求項１〜８のいずれか１項に記載の医療機器保守管理システムにおいて、
上記ＩＣタグは、柔軟性を持った粘着剤付きのラベルタイプのものであることを特徴とする医療機器保守管理システム。
【発明の詳細な説明】
【技術分野】
【０００１】
本発明は、病院等の医療機関で使用される医療機器、特にその不具合が患者に危険をもたらす人工呼吸器や輸液ポンプ等をより安全に使用するための保守管理システムに関する。
【背景技術】
【０００２】
病院等の医療機関では、種々の医療機器が使用されており、それらを安全に使用するためには、適正な保守点検管理を行う必要がある。とりわけ人工呼吸器等、万が一不具合が生じた場合に患者の生命に危険をもたらす医療機器については、製造元企業の定めた間隔で定期点検が行われるとともに、毎回の使用のたびに、使用前、使用中、及び使用後点検が実施されている。ある規模以上の医療機関においては、臨床工学技士等の専門技術者で構成される医療機器管理部門が存在し、病院内で使用される医療機器の保守管理を担当している。
【０００３】
人工呼吸器の場合を例に取ると、人工呼吸器は医療機器管理部門で管理されており、実際に使用されるのは、病室や集中管理室である。病室等の使用現場で人工呼吸器を使用する必要が生じたときは、医療機器管理部門が人工呼吸器を貸し出し、使用が終わったら返却するというシステムが採用される場合が多い。
【０００４】
この人工呼吸器の定期点検は、医療機器管理部門で実施されるか、あるいは製造元に委託して行われている。また、使用前点検は、病室において、所定のチェックリストに基づき看護師が点検を行い、合格を確認してから使用を開始するとともに、使用中も正常に作動していることを所定の時間間隔でチェックを行う場合が多い。使用後の人工呼吸器は医療機器管理部門に返却され、そこで使用後点検が行われ、次回いつでも使用できる状態で保管されている。
【０００５】
医療機器管理部門においては、管理すべき医療機器に管理番号をつけて管理することが一般的である。この場合、各機器を自動識別する手段が用いられることがある。その自動識別する手段としては、現時点ではいわゆるバ−コ−ドが広く使用されている。
【０００６】
このようなバーコードを用いて医療機器の保守管理を行う機器管理支援システムは、種々のものが知られている。例えば、下記非特許文献１に記載されているように、すでに多くのものが市販されており、保守点検記録が保存されている。
【０００７】
また、下記特許文献１には、医療品にＩＣタグを取り付け、在庫管理を行うシステムが開示されている。
【０００８】
また、下記特許文献２には、患者のリストバンドにＲＦＩＤを取り付け、治療指示情報を記録させ、医療のケアレスミスを防止しうるシステムが開示されている。
【０００９】
また、下記特許文献３には、ＲＦＩＤを診察券として用いたシステムが開示されている。
【００１０】
【特許文献１】特開２００６−２１５６５２号公報
【特許文献２】特開２００４−０４６５８２号公報
【特許文献３】特開２００５−２５９０３３号公報
【非特許文献１】医科器械学  Ｎｏｖ．２００６、Ｖｏｌ．７６、市販の機器管理支援ソフトの現状と展望
【発明の開示】
【発明が解決しようとする課題】
【００１１】
医療機器の保守管理に使用される従来の機器管理支援システムでは、保守管理部門において行われる定期点検等の情報が病室等の使用現場に適確に伝える仕組みが確立されておらず、定期点検が適正に実施されているかどうか、あるいは次回の定期点検がいつに予定されているかを使用現場で容易に認識することは困難であった。
【００１２】
また、医療機器管理部門では、医療機器の稼動状態を把握し、クレ−ム発生率の解析や稼働率を基にした買い換えに関する情報を提供することが求められているが、医療機器を貸し出した病室等において、実際にどの程度使用されたかという正確な稼働時間を知ることは困難であった。
【００１３】
さらに、医療機器の保守管理に使用される従来の機器管理支援システムは、保守管理部門において行われる点検作業のみを対象としているので、使用現場で行われる使用前及び使用中の点検記録は、医療機器管理部門で新たに手入力しないと、保守管理記録に含まれないという場合も想定された。この場合、医療機器管理部門で確認するためには、わざわざ医療機器管理部門に問い合わせなければならず、手続が煩雑なものとなりがちであった。
【００１４】
本発明は、上記課題に鑑みなされたものであり、その目的は、医療機器の保守管理に際し、保守管理に関する情報を現場で確認できる手法を提供することである。
【００１５】
また、本発明の他の目的は、医療機器の保守管理に際し、現場で行われた使用前、使用中、使用後の保守管理に関する情報を管理部門で容易に確認できる手法を提供することである。
【００１６】
また、本発明の他の目的は、その医療機器がどの程度稼働しているのかを、管理部門で容易に知る仕組みを提供することである。
【課題を解決するための手段】
【００１７】
本発明の医療機器保守管理システムは、上記課題を解決するためになされたものであり、その基本的な構成は、概ね、以下のようなものである。
【００１８】
（ａ）ＲＦＩＤであるＩＣタグと、
（ｂ）ＲＦＩＤリ−ダライタを搭載したＰＤＡ（携帯情報端末）と、
（ｃ）前回定期点検実施日と次回定期点検予定日をＩＣタグに書込む手段と、
（ｄ）医療機器の使用前及び使用中の点検を行うためのチェックリストを上記ＰＤＡに表示するとともに、チェックの結果をＩＣタグに書込む手段と、
を備えた医療機器保守管理システムである。
【００１９】
上記構成によれば、医療機器保守管理部門において行われる定期点検等の情報が、ＩＣタグを介して、病室等の使用現場に適確に伝わるという作用を有する。
【００２０】
また、同様に、このＩＣタグを介して、定期点検が適正に実施されているかどうか、あるいは次回の定期点検がいつに予定されているかを使用現場で容易に認識できる。
【００２１】
また、医療機器管理部門では、医療機器を貸し出した病室等の使用現場において、実際にどの程度使用されたかという正確な稼働時間を知ることができる。これは、病室等の使用現場において、稼働時間がＩＣタグ、及び、ＰＤＡに格納されるからである。
【００２２】
さらに、使用現場で実施される医療機器の使用前及び使用中の点検記録も含めたすべての保守管理記録が、ＩＣタグ及びＰＤＡに記録されるので、ＰＤＡ等を介して医療機器管理部門において容易に読み取り・保存することができる。
【００２３】
本発明は、具体的には、以下のような手段を採用する。
【００２４】
（１）本件発明は、上記課題を解決するために、医療機器に取り付けるためのＲＦＩＤであるＩＣタグと、前記ＩＣタグに対して保守管理データを読み出し・書き込むためのＲＦＩＤリ−ダライタを搭載した端末装置と、を備え、前記端末装置は、前記保守管理データである、保守・点検予定日、及び／又は、保守・点検実施日、を前記ＲＦＩＤリ−ダライタを用いて前記ＩＣタグに書き込む書き込み手段と、を備えることを特徴とする医療機器保守管理システムである。
【００２５】
なお、前記医療機器の保守・点検予定日、及び／又は、保守・点検実施日を使用者から入力することも好適である。この場合は、上記構成に加えて、使用者から、前記医療機器の保守・点検予定日、及び／又は、保守・点検実施日を入力する入力手段、を含めることも好適である。
【００２６】
（２）また、本発明は、上記（１）記載の医療機器保守管理システムにおいて、前記端末装置は、前記医療機器の保守・点検を行うためのチェックリストを記憶するチェックリスト記憶手段と、前記チェックリストを使用者に対して表示する表示手段と、前記表示手段が表示したチェックリストに対して、前記使用者がチェックした結果を、前記ＲＦＩＤリ−ダライタを用いて前記ＩＣタグに書き込む書き込み手段と、を備えることを特徴とする医療機器保守管理システムである。
【００２７】
（３）また、本発明は、上記（２）記載の医療機器保守管理システムにおいて、前記チェックリスト記憶手段は、前記医療機器の、使用前、使用中、使用後、のいずれか１種又は２種以上の保守点検チェックリストを記憶し、前記表示手段は、前記医療機器の、使用前、使用中、使用後、のいずれか１種又は２種以上の保守点検チェックリストを、前記使用者に対して表示することを特徴とする医療機器保守管理システムである。
【００２８】
（４）また、本発明は、上記（２）記載の医療機器保守管理システムにおいて、前記チェックリスト記憶手段は、前記医療機器の、使用前の保守点検チェックリストを記憶し、前記表示手段は、前記医療機器の、使用前の保守点検チェックリストを、前記使用者に対して表示し、前記表示手段が表示したチェックリストに対して、前記使用者がチェックした結果を、前記ＲＦＩＤリ−ダライタを用いて前記ＩＣタグに書き込む書き込み手段と、前記表示手段が表示したチェックリストに対して、前記使用者がチェックした場合、前回の使用後点検が完了しているか否かを検査し、完了していない場合は、所定の警告を前記使用者に対して出力する警告手段と、を備えることを特徴とする医療機器保守管理システムである。
【００２９】
（５）また、本発明は、上記（１）記載の医療機器保守管理システムにおいて、前記端末装置は、医療機器の保守・点検を行うためのチェックリスト群を記憶するチェックリスト記憶手段と、前記チェックリスト記憶手段から、保守管理の対象である前記医療機器に関するチェックリストを選択して取り出し、取り出したチェックリストを使用者に対して表示する表示手段と、前記表示手段が表示したチェックリストに対して、前記使用者がチェックした結果を、前記ＲＦＩＤリ−ダライタを用いて前記ＩＣタグに書き込む書き込み手段と、を備えることを特徴とする医療機器保守管理システムである。
【００３０】
（６）また、本発明は、上記（１）記載の医療機器保守管理システムにおいて、前記端末装置は、使用者から、前記医療機器の使用予定期間を入力する入力手段と、前記入力された使用予定期間の末日である予定使用終了日が、次回保守点検日の後である場合、及び／又は、前記予定使用終了日が、次回保守点検日から所定期間内に近接している場合、に警告を出力する警告手段と、を備えることを特徴とする医療機器保守管理システムである。
【００３１】
（７）また、本発明は、上記（５）記載の医療機器保守管理システムにおいて、前記端末装置は、前記医療機器の、使用前、及び／又は、使用中、の保守点検を実施した日付を記憶する保守点検履歴記憶手段と、前記保守点検履歴記憶手段に記憶された保守点検を実施した日付を、前記ＲＦＩＤリ−ダライタを用いて前記ＩＣタグに書き込む書き込み手段と、を備え、前記書き込み手段は、前記保守点検を実施した日付から、前記医療機器の稼働時間を求め、この稼働時間からその医療機器の稼働時間を求め、この稼働時間及び／又は累積稼働時間を、前記ＲＦＩＤリ−ダライタを用いて前記ＩＣタグに書き込むことを特徴とする医療機器保守管理システムである。
【００３２】
（８）また、本発明は、上記（７）記載の医療機器保守管理システムにおいて、前記端末装置は、前記累積稼働時間に基づき、保険償還価格を計算する計算手段と、前記計算した保険償還価格を表示する表示手段と、を備えることを特徴とする医療機器保守管理システムである。
【００３３】
（９）また、本発明は、上記（１）〜（８）のいずれかに記載の医療機器保守管理システムにおいて、上記ＩＣタグは、周波数１２５〜１３５ｋＨｚの長波帯を使用することによって、金属・水等によって通信が影響を受けないことを特徴とする医療機器保守管理システムである。
【００３４】
（１０）また、本発明は、上記（１）〜（８）のいずれかに記載の医療機器保守管理システムにおいて、上記ＩＣタグは、柔軟性を持った粘着剤付きのラベルタイプのものであることを特徴とする医療機器保守管理システム。
【発明の効果】
【００３５】
医療機器保守管理部門等において行われる定期点検等の保守・点検情報がＩＣタグに書き込まれるため、保守・点検情報を、病室等の使用現場に適確に伝えることができる。
【００３６】
さらに、定期点検等の保守点検作業が適正に実施されているかどうか、あるいは次回の定期点検がいつに予定されているかについて、ＩＣタグを通じて使用現場で容易に知ることができるので、利便性がより一層向上する。
【００３７】
また、医療機器管理部門では、医療機器を貸し出した使用現場において、実際に使用された正確な稼働時間を知ることができる。
【００３８】
さらに、使用現場で実施される医療機器の使用前及び使用中の点検記録等のデータを、医療機器管理部門において容易に保存することができる。これは、所定のデータが、ＩＣタグ等に格納されているためである。
【発明を実施するための最良の形態】
【００３９】
以下、本発明の好適な実施の形態を、図１〜図９を参照しながら説明する。
【００４０】
まず、図１に示すように、本実施の形態に係る医療機器の保守管理システムは、医療機器１０に貼付されたＩＣタグ２０と、ＲＦＩＤリ−ダライタを搭載したＰＤＡ（携帯情報端末）３０とを備えている。このＰＤＡ３０は、特許請求の範囲の端末装置の好適な一例に相当する。
【００４１】
近年ＲＦＩＤ用のＩＣタグ２０は急激な進歩を遂げており、あらゆる分野に広く普及している。このＲＦＩＤは、使用する周波数帯により、長波帯（１３５ｋＨｚ以下）、短波帯（１３．５６ＭＨｚ）、マイクロ波（２．４５ＧＨｚ）及びＵＨＦ帯（９１５〜９５０ＭＨｚ）に分類され、それぞれの周波数帯により特性が異なるので、使用される環境条件に合わせて、最適のものを使用する必要がある。
【００４２】
医療機器１０は、金属製の筐体に納められている構造のものが多く、また、使用される環境は、蒸留水や生理的食塩水が近くに置かれる場合もあり、それら液体・薬液等が誤って降りかかる（例えばこぼす）こともある。したがって、水や薬液に濡れた状態でも機能しうるように、耐水性、耐油性、耐薬品性、等を備えることが一般的に必要である。
【００４３】
本実施の形態では、周波数１２５〜１３５ｋＨｚの長波帯のＲＦＩＤを採用している。そのために、この周波数帯域のＲＦＩＤ用のＩＣタグ２０を使用している。これは、周波数１２５〜１３５ｋＨｚの長波帯は、水中の使用が可能であり、金属による影響が最も少ないので、医療機器の保守管理システムに使用するのに適しているからである。
【００４４】
次に、ＲＦＩＤリ−ダライタ３０ａを搭載したＰＤＡ（携帯情報端末）３０は、病室等の医療現場で看護師が片手に持って使用する必要があるので、片手で持てる程度に小型軽量であることが望ましい。
【００４５】
その一方、このＲＦＩＤリーダライタ３０ａは、画面に表示される医療機器の点検チェックリストを見ながら点検を行うので、少なくとも点検チェックリストが見える程度の大きさの画面を持ったものが必要である。また、当然のことながら、このＲＦＩＤリーダライタ３０ａは、周波数１２５〜１３５ｋＨｚの長波帯の読み取りと書込みができることが必要である。
【００４６】
初期設定・準備
次に、本発明による医療機器保守管理システムの初期設定について説明する。
【００４７】
まず初めに、本保守管理システムを使用できる人を決定し、各人のＩＤ番号及びパスワ−ドをＲＦＩＤリ−ダライタ３０ａを搭載したＰＤＡ３０に登録する。一般的には、このＩＤ番号としては８桁の数字を用いることが好ましいが、他の桁数でも良いし、また、他の記号等（アルファベット等）を用いることも好ましい。パスワ−ドとしても４桁の数字を用いることが好ましいが、他の桁数でも良いし、また、他の記号等（アルファベット等）を用いることも好ましい。
【００４８】
ＰＤＡ３０は、一般に種々のプロセッサ（コンピュータ）と、そのプロセッサが実行するプログラムとから構成される。特許請求の範囲の各手段は、このプロセッサとプロセッサが実行するプログラムとから構成される。
【００４９】
また、ＰＤＡ３０は、液晶ディスプレイ等の表示手段が備えられており、これは特許請求の範囲の各表示手段の好適な一例に相当する。
【００５０】
また、ＰＤＡ３０は、データ入力用のキーボタンを備えており（図１、図２等参照）、これは、特許請求の範囲の各入力手段の好適な一例に相当する。使用者は、所定の日付等をこのキーボタンを介して入力することができる。
【００５１】
次に、保守管理を必要とする医療機器１０に、周波数１２５〜１３５ｋＨｚの長波帯を使用し、金属及び水に影響されないＩＣタグ２０を貼付する。貼付場所は、可能な限り医療機器の前面又は側面の見やすい場所とし、適切な接着剤もしくは強力な両面テープを用いて貼付する。ＩＣタグ２０は、あらかじめ粘着剤が付いているものが望ましく、また湾曲面にも隙間なく貼付できるように、柔軟性のあるラベルタイプが望ましい。
【００５２】
なお、ＩＣタグを取り付ける種々の手法が従来から知られているので、本実施の形態でも従来から知られている種々の取り付け方法を採用することが可能である。
【００５３】
ＩＣタグ２０の表面には、文字や絵を印刷するための印刷面が設けられている。この印刷面には、例えば「取扱説明書をお読み下さい」という意味を表わすＩＳＯのアイコンマークを印刷し、医療機器を安全に使用するためには必須であるところの「取扱説明書参照」の注意を喚起することができる。
【００５４】
次に、ＲＦＩＤリ−ダライタ３０ａを搭載したＰＤＡ３０を用いて、ＩＣタグ２０に初期基本情報の書込みを行う。初期基本情報としては、「医療機器名称」、「製造元企業名」、「シリアル番号」、「ＪＡＮコード」、「病院内の管理番号」、「購入先企業名」、「販売担当者名」、「購入年月日」、「保守管理責任者ＩＤ」等があるが、それ以外にも必要に応じて追加することができる。
【００５５】
ＰＤＡ３０は、ＩＣタグ２０にデータを書き込む手段を備えている。この手段は、ＰＤＡ３０内のプロセッサとそのプロセッサが実行するプログラムとから構成される。このプログラムは、ＲＦＩＤリ−ダライタ３０ａを制御し、所定のデータをＩＣタグ２０に書き込む。同様に、ＰＤＡ３０は、ＩＣタグ２０から所定のデータを読み込む手段を備えている。この手段は、ＰＤＡ３０内のプロセッサとそのプロセッサが実行するプログラムとから構成される。このプログラムは、ＲＦＩＤリ−ダライタ３０ａを制御し、所定のデータをＩＣタグ２０から読み取る。
【００５６】
運用方法
次に、本発明による医療機器保守管理システムの使用法について説明する。
【００５７】
ＲＦＩＤリ−ダライタ３０ａを搭載したＰＤＡ３０の電源をＯＮすると、図２のログイン画面が表示される。使用者は、あらかじめ登録されているその使用者のＩＤ番号を入力し「ＥＮＴＥＲ」を押す。ＩＤ番号が認証されるとパスワ−ドを聞いてくるので、使用者はあらかじめ登録されているパスワ−ドを入力し「ＥＮＴＥＲ」を押す。パスワ−ドが認識されると、図３のメニュー画面が表示される。
【００５８】
メニュー画面は、図３に示すように、「保守点検」、「修理メンテ」及び「研修実施」から構成されており、いずれかを押すことによりそれぞれの業務を入力する画面に移行する。終了する場合は「終了」を押す。
【００５９】
なお、修理メンテは、修理・メンテナンスの意味であり、研修実施は、使用者の研修を行う場合のメニュー項目である。
【００６０】
ここでは、一例として「保守点検」を選択した場合の動作を説明する。使用者がこの「保守点検」を選択すると、図４に示す保守点検画面が表示される。使用者は、実施する点検項目を選択する。例えば使用者が「使用中点検」を選択すると、図５の読込み画面が表示される。
【００６１】
なお、ＰＤＡ３０は、特許請求の範囲の端末装置の、また、ＰＤＡ３０は、液晶ディスプレイ等の所定の表示手段が搭載されているが、この表示手段は、特許請求の範囲の各表示手段の、それぞれ好適な一例に相当する。
【００６２】
なお、本文で「選択」とは、ＥＮＴＥＲキーを「押す」動作や、ペン（スタイラスペン）や指で画面をタッチする方法（これを「押す」と称する場合もある）などで、実行する。ＰＤＡ３０でメニュー中の項目を選択する手法は、従来から種々知られているので、それらの手法を適宜採用することが好適である。
【００６３】
さて、図５の読み込み画面が表示された状態で、使用者は、保守点検を行う対象である医療機器１０に貼付されているＩＣタグ２０にＲＦＩＤリ−ダライタ３０ａを搭載したＰＤＡ３０を近づけて「読込み開始」（図５参照）を押す（指やペンで画面にタッチする等）。
【００６４】
すると、ＩＣタグ２０に記録保存されているデ−タの読み込みが開始される。読み込みが完了すると、図６の点検前画面が表示される。この画面は、過去にすでに点検や修理を実施している場合に、その前回点検日や前回修理日を表示する画面である。
【００６５】
この図６の点検前画面において、使用者は「予定使用終了日」を押し、その医療機器１０の使用が終了する予定日の「年月日」を入力する。入力画面は図示されていないが、一般的な日付を入力する画面である。この入力が終了すると、再び図６の表示に戻る。
【００６６】
さて、その入力した予定日が次回定期点検予定日を徒過している場合は、その日付表示が赤色で点滅し、警報音が鳴り、使用者に警告がなされる。また、その予定日が次回定期点検予定日の７日前より後であれば、その日付表示が赤色に表示され、使用者に注意を促すのである。
【００６７】
なお、本実施の形態では、警報音で警告を行っているが、ＲＦＩＤリ−ダライタ３０ａを搭載したＰＤＡ３０に音声機能を持たせ、次回定期点検予定日を過ぎていることを音声により知らせるようにすることも好適である。このような音声による警告であれば、誤入力や、使用期限の誤り等をより確実に防止することが可能である。
【００６８】
点検動作
さて、図６の画面に置いて、「点検開始」を押すと図７の使用中点検画面が表示され、使用中に行うべき点検のチェックシ−トが表示される。使用者は、このチェックシート中の各項目の点検を行い、完了した点検項目に関して「点検完了」欄を押していく。この作業をそれぞれの点検作業毎に行うことによって、それぞれの点検作業が実施されたことを確認することができるとともに、その確認作業を記録することができる。
【００６９】
なお、ここでいうチェックシートは、特許請求の範囲のチェックリストの好適な一例に相当する。このチェックシートは、ＰＤＡ３０内部の所定の記憶手段に格納されている。この記憶手段は、特許請求の範囲のチェックリスト記憶手段の好適な一例に相当する。例えば、所定のフラッシュメモリや各種メモリーカード、ハードディスク、その他種々のデータ記憶手段を利用することが可能である。
【００７０】
なお、それぞれの「点検完了」欄を個別に押すことなしに「ＡＬＬ  ＯＮ」を押すことにより、その画面に表示されているすべての点検項目を完了したことを確認することもできる（図７参照）。
【００７１】
上述した確認作業は、ＰＤＡ３０内部の所定の記憶手段に格納される。記憶手段は、上述したフラッシュメモリ等を利用することが好ましい。なお、その際、点検を行った日付も記憶される。この日付は、特許請求の範囲の保守点検を実施した日付の好適な一例に相当する。日付を知るために、ＰＤＡ３０には所定のカレンダー機能を備えさせることが好ましい。そのような機能は所定のタイマー・カレンダーＩＣで実現可能である。
【００７２】
保守点検は、上述した図４に示されているように、「定期点検」、「臨時点検」、「使用前点検」、「使用中点検」及び「使用後点検」に分類され、それぞれに点検項目が設定されている。
【００７３】
点検項目は、医療機器の製造元企業が設定したものを基本として設定される。また、その医療機器を使用する病院が点検項目を変更（追加）することも好適である。一般的には、代表的な医療機器の点検項目をチェックリストとして記憶しておき、その中から、各医療機関が使用している個々の医療機器のチェックリストを呼び出して使用することも好適である。
【００７４】
ＲＦＩＤリ−ダライタ３０ａを搭載したＰＤＡ３０には、標準的な点検項目が記憶されているが、システムの管理者が、本医療機器管理システムを使用する病院と事前に打ち合わせを行い、画面に表示させる点検項目を確定しておく必要がある。
【００７５】
さて、上述したように、図７の画面が表示された状態に置いて、使用者は、各点検作業を行っていく。使用者が各点検作業を完了した後、その使用者が図７の使用中点検画面において「終了」を押すと、図８の更新画面が表示される。使用者はこの画面上で、「書込み」を押す。
【００７６】
使用者が「書き込み」を押すと、図９に示す書込み処理画面が表示される。使用者は、この画面が表示された状態で、保守点検を行う医療機器に貼付されているＩＣタグ２０にＲＦＩＤリ−ダライタ３０ａを搭載したＰＤＡ３０を近づけて図９の画面上の「書込み開始」を押す（図９参照）と、ＩＣタグ２０に対する書込みが開始される。
【００７７】
使用前点検における検査
保守点検は、上述した図４に示されているように、「定期点検」、「臨時点検」、「使用前点検」、「使用中点検」及び「使用後点検」に分類され、それぞれに点検項目が設定されている旨、上で説明した。
【００７８】
このうち、使用前点検が使用者によって選択され、使用者が点検項目にチェックを入れると、ＰＤＡ３０は、その医療機器が前回の使用の際に使用後点検がなされているかどうかを検査する。そして、使用後点検がなされていない場合（使用後点検の点検項目にチェックが入っていない場合）には、所定の警告が使用者に対して出力される。例えば、「前回の使用後の点検がなされていません」等の音声メッセージなどが好ましい。
【００７９】
このような動作は、ＰＤＡ３０内部のプログラムと、それを実行するプロセッサ（コンピュータ）とによって実行される。
【００８０】
特許請求の範囲の警告手段は、このようなプログラムとプロセッサ（コンピュータ）とから構成される。
【００８１】
ＩＣタグ２０への書き込み
ここで書き込まれるデータは、少なくとも、使用現場で実施された使用前点検及び使用中点検の記録である。具体的には、使用者、点検項目とその確認の有無、点検日、等である。また、稼働時間データを含めて記憶しておくことも好ましい。もちろん、各医療機器１０の特性に応じて記録すべき事項は適宜適切なデータとするべきである。医療機器１０によっては、電圧やその印加時間、累積印加時間、流れた電流値とその時間、患者の血液型等、各位量行き来に応じて適切なデータを記録しておくことが好ましい。
【００８２】
さて、ＩＣタグ２０に対するこれらデータの書き込みが終了すると「前回点検日」（図８や図６に示す画面参照）が今日の日付に更新されるとともに、点検結果がＲＦＩＤリ−ダライタ３０ａを搭載したＰＤＡ３０に保存され、図３のメニュー画面が再び表示される。
【００８３】
なお、稼働時間の記録は、適宜累積され、累積稼働時間が計算される。この累積稼働時間もＩＣタグ２０やＰＤＡ３０内部に、上記データと共に記録される。ＰＤＡ３０には、この累積稼働時間から、保険償還価格を計算するプログラムが搭載されている。このプログラム及びこのプログラムを実行するプロセッサは、特許請求の範囲の保険償還価格を計算する計算手段の好適な一例に相当する。
【００８４】
計算された保険償還価格は、液晶ディスプレイ等の表示手段上に表示され、使用者に示される。
【００８５】
ＩＣタグ２０に保存されている記録を、ＩＣタグ２０やＰＤＡ３０以外に、別途保存したい場合は、ＲＦＩＤリ−ダライタ３０ａを搭載したＰＤＡ３０から接続ケーブル３１を介して、又は、所定の無線通信手段によって、プリンタ５０でその記録を印刷することができ、別途保管して残しておくことも好適である。
【００８６】
さて、病室等の使用現場で医療機器１０、例えば人工呼吸器の使用が終了したら、その人工呼吸器は、医療機器管理部門に返却される。医療機器管理部門では、返却された人工呼吸器に貼付されているＩＣタグ２０を読み込むことにより、使用現場で実施された使用前点検及び使用中点検の記録、及び稼働時間データを入手することができる。具体的には、そのデ−タはＵＳＢケーブル３１をパーソナルコンピュ−タ４０に接続することによって、パーソナルコンピュータ４０内に転送することができる。このようにして、医療機器１０に関する点検のデータがパーソナルコンピュータ４０内に格納しておくことが可能である。
【００８７】
医療機器管理部門における点検
さて、医療機器管理部門においては、ＲＦＩＤリ−ダライタ３０ａを搭載したＰＤＡ３０を用いて使用後点検を行う。
【００８８】
この点検の結果は、上述した使用中点検と同様に、その点検結果をＩＣタグ２０だけでなく、パーソナルコンピュ−タ４０にも転送することができる。
【００８９】
以上述べたように、医療機器管理部門においては、定期点検、使用前点検、使用中点検及び使用後の点検に分類されるすべての保守点検記録を一括して保存することができる。
【００９０】
またＩＣタグ２０に書き込まれている稼働時間を取り込んで累積することにより、クレ−ム発生率の解析や稼働率を基にして、その医療機器の買い換えに関する情報を提供することも可能である。
【産業上の利用可能性】
【００９１】
本発明は、病院等の医療機関で使用される医療機器、特にその不具合が患者の生命に危険をもたらす人工呼吸器等を安全に使用するための保守管理システムに適用される。
【図面の簡単な説明】
【００９２】
【図１】本実施の形態に係わる医療機器保守管理システムの構成概念図である。
【図２】図１の医療機器保守管理システムのＰＤＡに表示されるログイン画面である。
【図３】図１の医療機器保守管理システムのＰＤＡに表示されるメニュー画面である。
【図４】図１の医療機器保守管理システムのＰＤＡに表示される保守点検メニュー画面である。
【図５】図１の医療機器保守管理システムのＰＤＡに表示される読込み画面である。
【図６】図１の医療機器保守管理システムのＰＤＡに表示される点検前画面である。
【図７】図１の医療機器保守管理システムのＰＤＡに表示される使用中点検画面である。
【図８】図１の医療機器保守管理システムのＰＤＡに表示される更新画面である。
【図９】図１の医療機器保守管理システムのＰＤＡに表示される書込み画面である。
【符号の説明】
【００９３】
１０  医療機器
２０  ＩＣタグ
３０  ＲＦＩＤリ−ダライタを搭載したＰＤＡ
３０ａ  ＲＦＩＤリーダライタ  
３１  接続ケーブル（ＵＳＢケーブル）
４０  パーソナルコンピュ−タ
５０  プリンタ
【図１】
2008287627.tif 000003
【図２】
2008287627.tif 000004
【図３】
2008287627.tif 000005
【図４】
2008287627.tif 000006
【図５】
2008287627.tif 000007
【図６】
2008287627.tif 000008
【図７】
2008287627.tif 000009
【図８】
2008287627.tif 000010
【図９】
2008287627.tif 000011